(57)【要約】【課題】組み立て及び分解を容易に行うことができ、しかも、使用時の安定を確保することができる。【解決手段】組み立て式トイレは、前面部と、背面部と、前面部及び背面部と接続される左右の側面部と、前面部、背面部及び各側面部の少なくともいずれか１つから底面方向に延長され、設置時に床面に固定される固定部と、背面部から垂直に延長され、設置時に床面と並行な接続部と、回動自在に接続部から延長され、設置時に、前面部及び各側面部の上端部に、床面と並行に配置され、開口部を有する座面部と、を備え、側面部は、縦方向かつ内側に折り曲げ可能であり、接続部は、背面部と接する外側端部と、外側端部と対向する内側端部とを有し、外側端部及び内側端部と並行してその間に設けられるラインと、外側端部との幅が、前面部、各側面部及び固定部を折り畳んだ際の厚み以上であり、可燃性の物質で形成される。【選択図】図１
2018102578.tif 000002
【特許請求の範囲】
【請求項１】
前面部と、
背面部と、
前記前面部及び前記背面部と接続される左右の側面部と、
前記前面部、前記背面部及び前記各側面部の少なくともいずれか１つから底面方向に延長され、設置時に床面に固定される固定部と、
前記背面部から垂直に延長され、設置時に床面と並行な接続部と、
回動自在に前記接続部から延長され、設置時に、前記前面部及び前記各側面部の上端部に、床面と並行に配置され、開口部を有する座面部と、を備え、
前記側面部は、縦方向かつ内側に折り曲げ可能であり、
前記接続部は、前記背面部と接する外側端部と、当該外側端部と対向する内側端部とを有し、前記外側端部及び前記内側端部と並行してその間に設けられるラインと、前記外側端部との幅が、前記前面部、前記各側面部及び前記固定部を折り畳んだ際の厚み以上であり、
可燃性の物質で形成される組み立て式トイレ。
【請求項２】
前記座面部は、前記内側端部を軸として、前記前面部及び前記各側面部から遠ざける方向に回動自在であって、かつ、前記前面部、前記各側面部及び前記固定部の折り畳み時に、前記ラインを軸として、当該座面部の内側が前記前面部と向かい合う方向に回動自在である、請求項１に記載の組み立て式トイレ。
【請求項３】
設置時にテーパー形状を形成する内壁部、を更に備え、
前記内壁部は、前記前面部、前記背面部及び前記各側面部の内側において、内側に折り曲げ可能であって、
前記接続部は、前記外側端部と前記内側端部との幅は、前記前面部、前記背面部、前記各側面部及び固定部に加え、前記内壁部を折り畳んだ際の厚み以上である、請求項１又は２に記載の組み立て式トイレ。
【発明の詳細な説明】
【技術分野】
【０００１】
本発明は、組み立て式トイレ、特に、災害発生時や屋外イベント開催時等の現場に設置することができる組み立て式トイレに関する。
【背景技術】
【０００２】
従来から、災害発生時等においては、道路、電気、水道、トイレ等のインフラ整備をどれだけ速やかに復旧又は対応することができるかが被災者にとって非常に大事な問題となっている。
【０００３】
このように災害時等におけるトイレに関する問題を解決するものとして、非常用のトイレ等がある。災害時用のトイレ等は、普段は使用されないため、小型であったり、折り畳み式であることもある。
【０００４】
従来より、折り畳み式のトイレとして、簡単に折り畳み可能であり、また、未使用時には、コンパクトにすることで、輸送等を容易にし、保管しやすくすることが考慮されている（例えば、特許文献１参照）。
【先行技術文献】
【特許文献】
【０００５】
【特許文献１】特許第５５５３１３３号
【発明の概要】
【発明が解決しようとする課題】
【０００６】
しかしながら、折り畳み式のトイレは、簡単に折り畳み可能とし、かつ、コンパクトにするほど、使用時の安定性が劣るというトレードオフの関係にある。
【０００７】
本発明は、上述のような課題を解決するために、組み立て及び分解を容易に行うことができ、しかも、使用時の安定を確保することができる組み立て式トイレを提供することを目的とする。
【課題を解決するための手段】
【０００８】
本発明に係る組み立て式トイレは、上記目的を達成のため、前面部と、背面部と、前面部及び背面部と接続される左右の側面部と、前面部、背面部及び各側面部の少なくともいずれか１つから底面方向に延長され、設置時に床面に固定される固定部と、背面部から垂直に延長され、設置時に床面と並行な接続部と、回動自在に接続部から延長され、設置時に、前面部及び各側面部の上端部に、床面と並行に配置され、開口部を有する座面部とを備え、側面部は、縦方向かつ内側に折り曲げ可能であり、接続部は、背面部と接する外側端部と、外側端部と対向する内側端部とを有し、外側端部及び内側端部と並行してその間に設けられるラインと、外側端部との幅が、前面部、各側面部及び固定部を折り畳んだ際の厚み以上であり、可燃性の物質で形成される。
【発明の効果】
【０００９】
本発明によれば、組み立て・分解を容易に行うことができ、しかも、使用時の安定を確保することができる。
【図面の簡単な説明】
【００１０】
【図１】実施形態に係る組み立て式トイレの斜視図である。
【図２】図１の組み立て式トイレの座面部を上げる場合及び組み立て式トイレを折り畳んだ際の側面図である。
【図３】図１の組み立て式トイレを折り畳んだ際の斜視図である。
【図４】図1の組み立て式トイレの上面図及び断面図である。
【図５】折り畳まれた図1の組み立て式トイレを展開する手順を説明する図である。
【図６】図１の組み立て式トイレに利用する防臭ユニットの一例である。
【図７】図１の組み立て式トイレに利用する防臭ユニットの他の例である。
【発明を実施するための形態】
【００１１】
次に、本発明に係る一実施形態について図面を参照して説明する。図１に示すように、組み立て式トイレ１は、前面部１１と、背面部１２と、左右の側面部１３（１３ａ，１３ｂ）と、固定部（１１１，１２１，１３１ａ，１３１ｂ）と、接続部１４（１４１，１４２）と、座面部（１５）とを備える。
【００１２】
組み立て式トイレ１は、例えば、被災地や野外イベント等で仮設的に利用される。この組み立て式トイレ１は、小型で足回りの良いトラック、軽トラック、リヤカー等で複数台の搬送を実現することができ、被災地等での汎用性に優れたものとすることができる。また、小型であるため、各自治体や施設等で、災害備蓄品としての省スペースで大量かつ長期間の保管が可能である。以下、詳述する。
【００１３】
組み立て式トイレ１は、前面部１１と、背面部１２と、前面部１１及び背面部１２と接続される左右の側面部１３（１３ａ，１３ｂ）と、によって中空の筒形形状に形成される。図１に示すように、前面部１１と背面部１２とは平面形状であってもよいが、側面部１３を山折りと谷折りの蛇腹形状とすることで、組み立て式トイレ１を安定させることができる。
【００１４】
組み立て式トイレ１は、前面部１１、背面部１２及び各側面部の少なくともいずれか１つから底面方向に延長され、設置時に床面に固定される固定部を備える。図１に示す例では、前面部１１の下端部と接続される固定部１１１と、背面部１２の下端部と接続される固定部１２１と、左側の側面部１３ａの下端部の一部と接続される固定部１３１ａを備える。また、図１では示されていないが、組み立て式トイレ１は、右側の側面部１３ｂの一部と接続される固定部１３１ｂを備える。
【００１５】
固定部１１１，１２１，１３１（１３１ａ，１３１ｂ）の床面への固定方法は限定されない。例えば、床面にテープ等で貼り付けることで固定してもよいし、床面に釘等で打ち付けることで固定してもよい。図１に示す例では、固定部１１１，１２１，１３１は、それぞれ前面部１１、背面部１２及び側面部１３に対して外側に垂直に折り曲げられている。しかし、固定部１１１，１２１，１３１は、それぞれ前面部１１、背面部１２及び側面部１３に対して内側に垂直に折り曲げられていてもよい（図示せず）。また、床面に固定部１１１，１２１，１３１を挿入可能な構成である場合、固定部１１１，１２１，１３１を床面に挿入することで固定してもよい。これにより、使用時の安定性が増す。
【００１６】
組み立て式トイレ１は、背面部１２から垂直に延長され、設置時に床面と並行な接続部１４を備える。接続部１４は、背面部１２から接続される第１接続部１４１と、第１接続部１４１及び座面部１５と接続される第２接続部１４２とを備える。ここで、背面部１２と第１接続部１４１が連続する辺を外側端部１４３ａとする。また、第１接続部１４１と第２接続部１４２とが連続する辺をライン１４３ｂとする。さらに、第２接続部１４２と座面部１５とが接続される辺を内側端部１４３ｃとする。
【００１７】
また、組み立て式トイレ１は、接続部１４から延長され、設置時に、前面部１１及び側面部１３の上端部に、床面と並行に配置される座面部１５を備える。したがって、座面部１５の外周は、前面部１１、背面部１２及び側面部１３で形成される外周よりも大きい。また、この座面部１５は、前面部１１、背面部１２及び側面部１３の内側に形成されるような開口部１５１を有する。
【００１８】
側面部１３は、縦方向かつ内側に折り曲げ可能に形成される。ここで、側面部１３を縦方向に折り曲げるとは、側面部１３が前面部１１又は背面部１２と接する辺に平行なラインに沿って折り曲げることをいう。また、図１に示すように、背面部１２の両端部１２１ａ，１２１ｂが側面部１３の方向に折り曲げられていてもよい。具体的には、背面部１２の左端部１２１ａが背面部１２から左側面部１３ａの方向に９０°程度折り曲げられる。また、図１では表されていないが、右端部１２１ｂも背面部１２から右側面部１３ｂの方向に９０°程度折り曲げられる。図１に示す例では、側面部１３の固定部１３１ａ，１３１ｂは、それぞれ両端部１２１ａ，１２１ｂから延長される。
【００１９】
組み立て式トイレ１は、図２（ａ）の側面図に示すように、座面部１５は、内側端部１４３ｃを軸として上方向に引き上げることができる。言い換えると、座面部１５は、接続部１４との間の内側端部１４３ｃを軸として、前面部１１及び各側面部１３から遠ざける方向に回動自在である。
【００２０】
また、組み立て式トイレ１は、図２（ｂ）の側面図に示すように、側面部１３及び固定部１１１を折り畳んだ後、ライン１４３ｂを軸として下方向に引き下げることで、組み立て式トイレ１全体を折り畳むことができる。言い換えると、座面部１５は、前面部１１、各側面部１３及び固定部１１１，１２１，１３１の折り畳み時に、ライン１４３ｂを軸として、座面部１５の内側が前面部１１と向かい合う方向に回動自在である。座面部１５の内側とは、図１に示すように組み立て式トイレ１の展開時に、前面部１１及び各側面部１３の上端と接し、床面と対向する面のことである。
【００２１】
ここで、外側端部１４３ａとライン１４３ｂとの幅Ｈが、前面部１１、背面部１２、側面部１３及び固定部１１１，１２１，１３１を折り畳んだ際の厚み程度となるように形成されることが好ましい。これにより、図３（ａ）及び図３（ｂ）に示すように、この組み立て式トイレ１を折り畳んだ際、その厚みは、第１接続部１４１の短軸の幅Ｈと座面部１５の厚みとを合わせた厚さとなる。なお、背面部１２から垂直に延長される左延長部１２１ａ及び右延長部１２１ｂの幅も、この第１接続部１４１の幅Ｈ以下とすることが好ましい。この組み立て式トイレ１の折り畳み時の長さＬ１は５００ｍｍ程度、幅Ｌ２は３７０ｍｍ程度、厚さＬ３は７０ｍｍ程度である。このように、組み立て式トイレ１は、折り畳み時にはコンパクトにして運搬や収納をすることができる。
【００２２】
また、組み立て式トイレ１は、図４に示すように、設置時にテーパー形状を形成する内壁部１６を有してもよい。図４（ａ）は、内壁部１６を有する組み立て式トイレ１の上面図である。また、図４（ｂ）は、組み立て式トイレ１のＡ−Ａ断面図である。なお、他の図でも同様であるが、図中で現れる各部の厚み等の違いは、実際とは異なる。
【００２３】
内壁部１６は、前面部１１、背面部１２及び各側面部１３の内側において、縦方向かつ内側に折り曲げ可能に形成される。図４及び図５に示す例では、内壁部１６は、四角形の筒形形状であるが、円形の筒形形状等、他の形状であってもよい。なお、四角形の筒形形状にした方が、折り畳みが容易である。
【００２４】
第１接続部１４１の外側端部１４３ａとライン１４３ｂとの幅Ｈは、前面部１１、背面部１２、各側面部１３及び固定部１１１，１２１，１３１に加え、内壁部１６を折り畳んだ際の厚み以上であることが好ましい。これにより、図３を用いて上述したように、折り畳み時に、組み立て式トイレ１の厚みは、接続部１４の幅Ｈと、座面部１５の厚みとを合わせた厚さとなる。
【００２５】
図５を用いて、折り畳まれた組み立て式トイレ１を設置する手順を説明する。組み立て式トイレ１は、図３で上述した折り畳まれた状態から、図５（ａ）に示すように、まず、座面部１５を９０°以上開く。続いて、図５（ｂ）に示すように、前面部１１を背面部１２から遠ざけるように引き出す。その後、図５（ｃ）に示すように、必要に応じて、固定部１１１，１２１，１３１を折り曲げて床面に固定する。
【００２６】
組み立て式トイレ１の使用方法は、様々な場面が考えられる。例えば、マンホールトイレとして、下水道につながるマンホール上に設置して使用することができる。また、床下に汚物を収納するような収納容器を備える場所に設置して使用することができる。その他、例えば、内壁部１６内に汚物を収納可能なビニール袋等を入れることで、ビニール袋のみの交換により、繰り返し使用することが可能となる。
【００２７】
図６に示すように、設置時に、前面部１１、背面部１２及び各側面部１３の内側にはめ込み可能であって、汚物を、下方に排出可能な排出口１７１を有する防臭ユニット１７をさらに備えてもよい。図６（ａ）は、防臭ユニット１７のみの斜視図である。図６（ｂ）は、組み立て式トイレ１の底部に防臭ユニット１７をはめ込んだ上面図である。なお、図６（ｂ）では、側面部１３や内壁部１６等について座面部１５により見えない部分については図示を省略する。図６（ｃ）は、組み立て式トイレ１の底部に防臭ユニット１７をはめ込んだＡ−Ａの断面図である。
【００２８】
排出口１７１は、入口部１７１ａから出口部１７１ｂに向けて、狭まるようにテーパー形状が形成されるテーパー部材１７２を有する。この防臭ユニット１７は、例えば、組み立て式トイレ１が、マンホールトイレや、床下に汚物を収納するような収納容器を備える場所で使用するものである場合に利用することができる。具体的には、排出口１７１が、マンホール上に配置されて使用される。またはこの排出口１７１が、床下の収納容器等に接続される。
【００２９】
また、防臭ユニット１７は、防臭部材を備えてもよい。この防臭部材１７３により、汚物の悪臭が広がるのを防止することができる。この防臭部材１７３の形状は限定されないが、例えば、切込みを複数有する軟性材料により、逆円錐形状で形成される。防臭部材１７３が軟性材料で形成されることで、防臭部材１７３は、汚物の重さのみで容易に開閉することが可能となる。防臭部材１７３を設けることにより、マンホールに接続される排水管や汚水管等、床下の収納容器等からの臭気を遮断することができる。
【００３０】
また、図６を用いて上述した防臭ユニット１７に代えて、図７に示すような防臭ユニット１９を備えてもよい。図７（ａ）は、防臭ユニット１９の斜視図である。この防臭ユニット１９も、前面部１１、背面部１２及び各側面部１３の内側にはめ込み可能であって、汚物を、下方に排出可能な排出口１９１を有する。排出口１９１は、四角形に形成される。
【００３１】
図７（ｂ）及び図７（ｃ）は、組み立て式トイレ１の底部に防臭ユニット１９をはめ込んだＡ−Ａの断面図である。図７（ｂ）及び図７（ｃ）に示すように、排出口１９１の床面側には、重りを有する開閉弁１９２を備える。図７（ｂ）は、開閉弁１９２が閉じた場合の一例であり、図７（ｃ）は、開閉弁１９２が開いた場合の一例である。
【００３２】
図７（ｂ）及び図７（ｃ）に示すように、開閉弁１９２は、例えば、Ｌ字形状に形成される。この開閉弁１９２は、長辺部１９２ａが排出口１９１を塞ぐように形成され、短辺部１９２ｂに重りが設けられ、長辺部１９２ａと短辺部１９２ｂとの連結部が排出口１９１の一辺と接続される。例えば、重りよりも重い物質が長辺部１９２ａに配置されると、この開閉弁１９２が開封される。また、開閉弁１９２が開封することで物質が下方に落下すると、開閉弁１９２は閉じられる。開閉弁１９２を設けることにより、マンホールに接続される排水管や汚水管等、床下の収納容器、便槽等からの臭気を遮断することができる。
【００３３】
組み立て式トイレ１の材質は限定されず、可燃性の物質で形成される。組み立て式トイレ１を可燃性の資材で形成することで、不要になった際に容易に焼却処分することができる。また、組み立て式トイレ１を軽量な素材で形成することで、運搬や保管を容易に行うようにすることができる。
【００３４】
例えば、組み立て式トイレ１は、公知の紙製段ボールシートで形成される。具体例としては、原紙を段繰り成形した中芯の両面にライナを貼り合わせたものが考えられる。この際、中芯及びライナの撥水度（ＪＩＳＰ８１３７）はＲ６以上であり、合成樹脂エマルジョン、熱硬化性樹脂及び架橋剤を含む段ボール用接着剤によって中芯とライナとを貼り合わせ、耐水性をある程度確保したうえで、複数枚の段ボールシートを重ね合わせて強度を確保することが好ましい。そのうえで、例えば、便槽内の壁面や床板の上面に燃焼可能な防水コーティング処理等を施すのが好ましい。なお、同様の樹脂製段ボールシートのほか、板紙、再生紙、或は、その他の化学繊維等を高圧縮して作成したシート材を高圧縮したシート等での代用も可能である。
【００３５】
以上説明したように、本発明に係る組み立て式トイレ１は、軽量且つ組み立て及び分解を容易に行うことができ、しかも、使用時の安定を確保することができる。また、組み立て式トイレ１は、内壁部１６を備えることで、テーパーによる汚物の拡散防止と集約効果を得ることができる。さらに、組み立て式トイレ１は、防臭ユニット１７又は１９を備えることで、排水管、下水管、便槽等からの臭気を遮断する防臭効果を得ることができる。
【符号の説明】
【００３６】
１ 組み立て式トイレ
１１ 前面部 
１１１ 固定部 
１２ 背面部 
１２１ 固定部
１３（１３ａ，１３ｂ） 側面部
１３１ａ，１３１ｂ 固定部 
１４ 接続部 
１５ 座面部 
１６ 内壁部 
１７，１９ 防臭ユニット
【図１】
2018102578.tif 000003
【図２】
2018102578.tif 000004
【図３】
2018102578.tif 000005
【図４】
2018102578.tif 000006
【図５】
2018102578.tif 000007
【図６】
2018102578.tif 000008
【図７】
2018102578.tif 000009